(57)【特許請求の範囲】
【請求項１】
情報通信を行う通信システムにおいて、
汎用通信プロトコルを持たない制御信号にもとづき、自モジュールの動作を制御する動作制御部を含む通信モジュールと、
自装置に挿入された前記通信モジュールに対し、前記制御信号を生成して前記通信モジュールに送信する信号処理部を含む通信装置と、
を備え、
前記信号処理部は、
前記通信モジュールに所定動作を実行させる場合には、前記制御信号を所定レベルで送信し、
前記通信モジュールの認証を行う場合には、前記制御信号のレベルを認証用パターンとなるように変化させて送信し、
前記動作制御部は、受信した前記制御信号のレベルが、
前記所定レベルである場合には、前記所定動作を実行し、
前記認証用パターンである場合には、あらかじめ認識しているパターンとの一致比較による認証制御を行う、
ことを特徴とする通信システム。
【請求項２】
前記信号処理部は、
前記制御信号を前記所定レベルで送信して、前記通信モジュールの前記所定動作として、スタンバイ状態の設定・解除を実行させ、
同じ前記制御信号を前記認証用パターンのレベルで送信して、前記通信モジュールの認証を行って、
１つの前記制御信号を、前記通信モジュールの前記スタンバイ状態の設定・解除と、前記通信モジュールの認証とに使用する、
ことを特徴とする請求項１記載の通信システム。
【請求項３】
情報通信を行う通信システムにおいて、
汎用通信プロトコルを持たない制御信号にもとづき、自モジュールの動作を制御する動作制御部を含む通信モジュールと、
自装置に挿入された前記通信モジュールに対し、前記制御信号を生成して前記通信モジュールに送信する信号処理部を含む通信装置と、
を備え、
前記信号処理部は、
前記通信モジュールに所定動作を実行させる場合には、前記制御信号を所定レベルで送信し、
前記通信モジュールの認証を行う場合には、前記制御信号のレベルを認証用パターンとなるように変化させて送信し、
前記通信モジュールのモニタを行う場合には、前記制御信号のレベルをモニタ用パターンとなるように変化させて送信し、
前記動作制御部は、受信した前記制御信号のレベルが、
前記所定レベルである場合には、前記所定動作を実行し、
前記認証用パターンである場合には、あらかじめ認識しているパターンとの一致比較による認証制御を行い、
前記モニタ用パターンである場合には、前記モニタ用パターンのパターン毎に対応する機能モニタを行って、モニタ結果を前記通信装置へ通知するモニタ制御を行う、
ことを特徴とする通信システム。
【請求項４】
前記信号処理部は、
前記制御信号を前記所定レベルで送信して、前記通信モジュールの前記所定動作として、スタンバイ状態の設定・解除を実行させ、
同じ前記制御信号を前記認証用パターンのレベルで送信して、前記通信モジュールの認証を行って、
１つの前記制御信号を、前記通信モジュールの前記スタンバイ状態の設定・解除と、前記通信モジュールの認証とに使用する、
ことを特徴とする請求項３記載の通信システム。
【請求項５】
前記信号処理部は、
前記通信モジュールの前記所定動作としてスタンバイ状態の設定・解除を実行させる、第１の制御信号を生成し、
前記通信モジュールの前記所定動作として通信データの出力・停止を実行させる、第２の制御信号を生成し、
前記通信モジュールの認証を行う場合には、
前記第１の制御信号を前記所定レベルで送信して、前記通信モジュールを前記スタンバイ状態に設定し、前記スタンバイ状態となった前記通信モジュールに対して、前記第２の制御信号を前記認証用パターンのレベルで送信して、前記通信モジュールの認証を行い、
前記通信モジュールのモニタを行う場合には、
前記第１の制御信号を前記所定レベルで送信して、前記通信モジュールを前記スタンバイ状態に設定し、前記スタンバイ状態となった前記通信モジュールに対して、前記第２の制御信号を前記モニタ用パターンのレベルで送信して、前記通信モジュールのモニタを行う、
ことを特徴とする請求項３記載の通信システム。
【請求項６】
通信モジュールが自装置に挿入されて、前記通信モジュールと通信を行う通信装置において、
前記通信モジュールと汎用通信プロトコルによる通信を行う通信部と、
前記汎用通信プロトコルを持たない制御信号を生成して、前記通信モジュールに送信する信号処理部と、
を備え、
前記信号処理部は、
前記通信モジュールに所定動作を実行させる場合には、前記制御信号を所定レベルで送信し、
前記通信モジュールの認証を行う場合には、前記制御信号のレベルを認証用パターンとなるように変化させて送信し、
前記通信モジュールのモニタを行う場合には、前記制御信号のレベルをモニタ用パターンとなるように変化させて送信する、
ことを特徴とする通信装置。
【請求項７】
通信装置に挿入して、前記通信装置と通信を行う通信モジュールにおいて、
前記通信装置と汎用通信プロトコルによる通信を行う通信部と、
前記通信装置から送信された、前記汎用通信プロトコルを持たない制御信号にもとづき、自モジュールの動作を制御する動作制御部と、
を備え、
前記動作制御部は、受信した前記制御信号のレベルが、
所定レベルである場合には、所定動作を実行し、
認証用パターンである場合には、あらかじめ認識しているパターンとの一致比較による認証制御を行い、
モニタ用パターンである場合には、前記モニタ用パターンのパターン毎に対応する機能モニタを行って、モニタ結果を前記通信装置へ通知するモニタ制御を行う、
ことを特徴とする通信モジュール。
【発明の詳細な説明】
【技術分野】
【０００１】
本発明は、情報通信を行う通信システムに関する。
【背景技術】
【０００２】
光トランシーバは、光電変換機能を有して、高速光データ通信を実現する光モジュールであり、光通信システムのキーコンポーネントとして注目されている。また、光トランシーバは、ＭＳＡ（Multi Source Agreement）と呼ばれる国際標準規格にもとづき、外形や電気インタフェースの仕様が規定されている。特に10Gbpsの光通信においては、ＭＳＡ準拠のＸＦＰ（10Gbps Small Form-factor Pluggable）の規格が主流となっている。
【０００３】
また、光トランシーバは、着脱・交換が容易なプラガブルな構造を有し、ホスト側の装置に対して、ユーザ側での光トランシーバの差し替えを可能にしており、これにより機能拡張や仕様変更等を容易に行えるようになっている。
【０００４】
従来技術としては、認定外の光データリンクを排除する技術が提案されている（特許文献１）。また、機器間で双方向対話を行って認証する技術が提案されている（特許文献２）。
【先行技術文献】
【特許文献】
【０００５】
【特許文献１】特開２００６−３２５０３０号公報
【特許文献２】特表２００５−５３４０８９号公報
【発明の概要】
【発明が解決しようとする課題】
【０００６】
上記のように、光トランシーバは、交換が簡単にできることが大きな利点となっている。しかし、ユーザ側での交換が可能であることにより、ホスト装置に本来挿入すべき光トランシーバ以外のモジュール（例えば、ホスト装置のベンダ側で認定した光トランシーバ以外の安価なモジュールなど）を使用して不正に通信を行うことも可能となる。このため、通信の特性、品質を保てなくなる可能性があり、信頼性を低下させるおそれがあった。
【０００７】
一方、ＸＦＰタイプに代表される光トランシーバは、ホスト装置との間で、汎用のＩ２Ｃ（Inter-Integrated Circuit：周辺デバイスとのシリアル通信方式であって、主にメモリＩＣとの高速通信を実現するプロトコル）通信によって情報のやり取りを行っている。
【０００８】
従来では、上記のような、認定されない光トランシーバによって、ホスト装置と光トランシーバとで通常の通信が行われないように、ホスト装置と光トランシーバとの間のＩ２Ｃ通信によって、光トランシーバを認証することが行われている。
【０００９】
しかし、Ｉ２Ｃ通信プロトコルは公開されているため、Ｉ２Ｃ信号を不正にモニタすることで、認証用データが見つけられ複写される可能性があった。このため、従来の認証方式では、認定されない光トランシーバを確実に使用禁止とすることはできなかった。
【００１０】
本発明はこのような点に鑑みてなされたものであり、認定されない通信モジュールを確実に使用不可にして、通信品質および信頼性の向上を図った通信システムを提供することを目的とする。
【課題を解決するための手段】
【００１１】
上記課題を解決するために、情報通信を行う通信システムが提供される。この通信システムは、汎用通信プロトコルを持たない制御信号にもとづき、自モジュールの動作を制御する動作制御部を含む通信モジュールと、自装置に挿入された前記通信モジュールに対し、前記制御信号を生成して前記通信モジュールに送信する信号処理部を含む通信装置とを備える。
【００１２】
ここで、信号処理部は、通信モジュールに所定動作を実行させる場合には、制御信号を所定レベルで送信し、通信モジュールの認証を行う場合には、制御信号のレベルを認証用パターンとなるように変化させて送信する。動作制御部は、受信した制御信号のレベルが、所定レベルである場合には、所定動作を実行し、認証用パターンである場合には、あらかじめ認識しているパターンとの一致比較による認証制御を行う。
【発明の効果】
【００１３】
通信品質および信頼性の向上を図ることが可能になる。
【図面の簡単な説明】
【００１４】
【図１】通信システムの構成例を示す図である。
【図２】光トランシーバの構成例を示す図である。
【図３】通信装置に複数の光トランシーバが挿入しているときの構成を示す図である。
【図４】光トランシーバを認証するときの認証用パターンを示す図である。
【図５】光トランシーバを認証するときの認証用パターンを示す図である。
【図６】光トランシーバのモニタ制御を行うときのモニタ用パターンを示す図である。
【図７】モニタ用パターンの一例を示す図である。
【発明を実施するための形態】
【００１５】
以下、本発明の実施の形態を図面を参照して説明する。図１は通信システムの構成例を示す図である。通信システム１は、通信装置１０と、通信モジュール２０を備え、通信モジュール２０を通信装置１０に挿入して、通信装置１０と通信モジュール２０間で情報通信を行うシステムである。
【００１６】
通信装置１０は、通信部１１ａと信号処理部１１ｂを含む。通信部１１ａは、通信モジュール２０と汎用通信プロトコル（例えば、Ｉ２Ｃ通信）による通信を行う。信号処理部１１ｂは、自装置に挿入された通信モジュール２０に対し、制御信号を生成して通信モジュール２０に送信する。
【００１７】
通信モジュール２０は、通信部２１ａと動作制御部２１ｂを含む。通信部２１ａは、通信装置１０と汎用通信プロトコルによる通信を行う。動作制御部２１ｂは、汎用通信プロトコルを持たない制御信号にもとづき、自モジュールの動作を制御する。
【００１８】
汎用通信プロトコルを持たない制御信号とは、例えば、汎用通信プロトコルがＩ２Ｃ通信のプロトコルとするならば、Ｉ２Ｃ通信プロトコルによる通信形式に依存しない制御信号ということである。
【００１９】
ここで、信号処理部１１ｂは、通信モジュール２０に所定動作を実行させる場合には、制御信号のレベルを、所定の一定レベルにして送信する（Ｈレベルを一定時間、またはＬレベルを一定時間送信する）。また、通信モジュール２０の認証を行う場合には、制御信号のレベルをあらかじめ設定した認証用パターンとなるように変化させて送信する。さらに、通信モジュール２０内の各種機能のモニタを行う場合には、制御信号のレベルをあらかじめ設定したモニタ用パターンとなるように変化させて送信する。
【００２０】
一方、動作制御部２１ｂは、信号処理部１１ｂから送信された制御信号を受信し、受信した制御信号のレベルが、所定レベルである場合には、そのレベルに対応する所定動作を実行する。
【００２１】
また、受信した制御信号のレベルが、認証用パターンのレベル変化である場合には、あらかじめ認識しているパターンとの一致比較による認証制御を行う。さらに、受信した制御信号のレベルが、モニタ用パターンのレベル変化である場合には、モニタ用パターンのパターン毎に対応する自モジュール内の機能モニタを行って、モニタ結果を通信装置１０へ通知するモニタ制御を行う。
【００２２】
次に通信システム１の例として、通信モジュール２０がＸＦＰタイプのプラガブル光トランシーバ・モジュールであるとし、通信装置１０に光トランシーバが挿入されて通信が行われるときの構成および動作について詳しく説明する。
【００２３】
図２は光トランシーバの構成例を示す図である。光トランシーバ２０ａは、ＣＰＵ（Central Processing Unit）２１、ＣＤＲ（Clock Data Recovery）部２２、Ｅ／Ｏ（電気／光）部２３ａおよびＯ／Ｅ（光／電気）部２３ｂを備える。ＣＰＵ２１は、通信部２１ａと動作制御部２１ｂを含む。なお、ＣＰＵ２１は、通信部２１ａと動作制御部２１ｂ以外のモジュール内全体の動作制御を行う。
【００２４】
通信部２１ａは、Ｉ２Ｃ通信プロトコルで通信装置１０と通信を行う。動作制御部２１ｂは、Ｉ２Ｃ通信プロトコルを持たない制御信号として、Pdown Rest（Power down Reset）信号、TX DIS（TX Disable）信号およびMod ABS（Module Absence）信号にもとづき、自モジュールの動作制御を行う。
【００２５】
ここで、Pdown Rest信号は、光トランシーバ２０ａの所定動作として、光トランシーバ２０ａをスタンバイ状態に設定・解除する信号である。Pdown Rest信号は、通信装置１０の信号処理部１１ｂから光トランシーバ２０ａに向けて送信され、光トランシーバ２０ａのPdown Restピンに入力する。
【００２６】
動作制御部２１ｂは、例えば、１０μｓ以上のＨレベルのPdown Rest信号が、光トランシーバ２０ａのPdown Restピンに入力すると、光トランシーバ２０ａの消費電力を一定レベルまで低下させて、Ｉ２Ｃ通信や光通信の動作を停止させるスタンバイ状態（パワーダウンモード）にする。
【００２７】
また、Pdown Rest信号がＬレベルでPdown Restピンに入力すると、スタンバイ状態を解除して、光トランシーバ２０ａの通常動作を行う（Pdown Rest信号のＨレベルからＬレベルへの立ち下りエッジで、スタンバイ状態が解除となって通常動作モードへ移行する）。
【００２８】
TX DIS信号は、光トランシーバ２０ａの所定動作として、光トランシーバ２０ａの信号光（通信データに該当）の出力・停止を実行させる信号である。TX DIS信号は、通信装置１０の信号処理部１１ｂから光トランシーバ２０ａに向けて送信され、光トランシーバ２０ａのTX DISピンに入力する。
【００２９】
動作制御部２１ｂは、例えば、TX DIS信号がＨレベルでTX DISピンに入力すると、Ｅ／Ｏ２３ａを駆動して信号光を生成して外部へ（光ファイバを通じて）出力させる。また、TX DIS信号がＬレベルで入力すると、Ｅ／Ｏ２３ａの駆動を停止して、信号光出力の停止を図る。
【００３０】
Mod ABS信号は、光トランシーバ２０ａが通信装置１０に挿入されているか否かを示す信号である。光トランシーバ２０ａが通信装置１０に挿入すると、光トランシーバ２０ａのMod ABSピンはＬレベルとなる（動作制御部１１ｂは、ＬレベルのMod ABS信号を出力する）。
【００３１】
また、光トランシーバ２０ａが通信装置１０から抜去すると、光トランシーバ２０ａのMod ABSピンはＨレベルとなる（動作制御部１１ｂは、ＨレベルのMod ABS信号を出力する）。通信装置１０は、Mod ABSピンのレベルから、光トランシーバ２０ａの挿入状態を認識することができる。
【００３２】
一方、ＣＤＲ部２２は、データ信号を受信して、クロックを抽出しデータのリタイミングを行う。Ｅ／Ｏ部２３ａは、データを信号光に変換して外部へ出力する。Ｏ／Ｅ部２３ｂは、外部から送信された信号光を受信して電気信号に変換する。Ｅ／Ｏ部２３ａとＯ／Ｅ部２３ｂの駆動は、動作制御部２１ｂによって制御される。
【００３３】
図３は通信装置１０に複数の光トランシーバが挿入しているときの構成を示す図である。通信装置１０にｎ台の光トランシーバ２０ａ−１〜２０ａ−ｎが挿入されている。通信装置１０内のＣＰＵ１１は、図１で示した通信部１１ａと信号処理部１１ｂを含む。また、光トランシーバ２０ａ−１〜２０ａ−ｎはそれぞれ、ＣＰＵ２１−１〜２１−ｎを含む。
【００３４】
ＣＰＵ１１内の通信部１１ａと、ＣＰＵ２１−１〜２１−ｎ内の通信部２１ａとでＩ２Ｃ通信が行われる。また、ＣＰＵ１１内の信号処理部１１ｂと、ＣＰＵ２１−１〜２１−ｎ内の動作制御部２１ｂとで制御信号（Pdown Rest信号、TX DIS信号、Mod ABS信号）のやり取りが行われる。
【００３５】
次に光トランシーバ２０ａを認証するときの動作について説明する。図４は光トランシーバ２０ａを認証するときの認証用パターンを示す図である。信号処理部１１ｂは、通信装置１０に挿入された光トランシーバ２０ａが正規の光トランシーバであるか否かの認証を行う場合、Pdown Rest信号のレベルを認証用パターンとなるように変化させて、光トランシーバ２０ａに送信する。
【００３６】
図の場合、例えば、“10010101”が認証用パターンであるとし、この認証用パターンとなるように、Pdown Rest信号のレベルを変化させて光トランシーバ２０ａへ送信する。
光トランシーバ２０ａ内の動作制御部２１ｂは、受信したPdown Rest信号のレベル変化パターンと、あらかじめ認識している認証用パターン（“10010101”）とを比較する。Pdown Rest信号のレベル変化が“10010101”であって、あらかじめ認識している認証用パターンと一致する場合には、光トランシーバ２０ａの起動動作を開始する（動作制御部２１ｂは、一致した旨を通信装置１０へ通知してもよい）。また、あらかじめ認識している認証用パターンと不一致となった場合には、光トランシーバ２０ａを起動させない（動作制御部２１ｂは、不一致の旨を通信装置１０へ通知してもよい）。
【００３７】
なお、Pdown Rest信号に認証用パターンを持たせる場合には、Ｈレベルが１０μｓを超えない長さで認証用パターンを生成する。なぜなら、Ｈレベルが１０μｓを超えると、Pdown Rest信号の本来の動作（スタンバイ状態の設定）となるからである。
【００３８】
したがって、信号処理部１１ｂでは、光トランシーバ２０ａをスタンバイ状態に設定する場合には、Pdown Rest信号を１０μｓ以上のＨレベルにし、スタンバイ状態を解除する場合には、Pdown Rest信号を一定時間Ｌレベルにする。
【００３９】
また、光トランシーバ２０ａの認証を行う場合には、Pdown Rest信号を認証用パターンのレベルに変化させて送信する（Ｈレベルは１０μｓを超えないようにする）。このように、１つのPdown Rest信号を、光トランシーバ２０ａのスタンバイ状態の設定・解除と、光トランシーバ２０ａの認証との両方に使用する。
【００４０】
これにより、Ｉ２Ｃ通信と依存しない制御信号の１つであるPdown Rest信号を用いて認証を行うことができるので、認定されていない光トランシーバの不正使用を確実に防ぐことができる。また、既存のPdown Rest信号を使用するので、回路追加が不要であるため、効率よく認証制御を行うことが可能になる。
【００４１】
次にPdown Rest信号とTX DIS信号の２つの制御信号を用いて、光トランシーバ２０ａを認証するときの動作について説明する。図５は光トランシーバ２０ａを認証するときの認証用パターンを示す図である。信号処理部１１ｂは、通信装置１０に挿入された光トランシーバ２０ａが正規の光トランシーバであるか否かの認証を行う場合、Pdown Rest信号とTX DIS信号とを組み合わせて認証を行う。
【００４２】
Pdown Rest信号については、１０μｓ以上のＨレベルで出力して、光トランシーバ２０ａをスタンバイ状態に設定する。そして、TX DIS信号については、Pdown Rest信号がＨレベルの時間帯のときに、認証用パターンのレベルを持たせて送信する。
【００４３】
ここで、認証用パターンを持つTX DIS信号のみを送信すると、光トランシーバ２０ａからTX DIS信号のレベル変化に応じて信号光が出力したり、停止したりしてしまう（本来の光通信動作が起動する）。
【００４４】
これに対し、Pdown Rest信号によって光トランシーバ２０ａをスタンバイ状態にさせてから、認証用パターンを持つTX DIS信号を送信することにより、光トランシーバ２０ａの信号光を停止させた状態で、光トランシーバ２０ａの認証を行うことが可能になる（なお、図５では、認証用パターンを“01010101”としている）。
【００４５】
このように、１つのTX DIS信号を、光トランシーバ２０ａの信号光の出力・停止と、光トランシーバ２０ａの認証との両方に使用する（ただし、光トランシーバ２０ａの認証を行う場合には、Pdown Rest信号も使用して、Pdown Rest信号で光トランシーバ２０ａをスタンバイ状態に設定した後に、TX DIS信号に認証用パターンを持たせる）。
【００４６】
これにより、Ｉ２Ｃ通信と依存しない制御信号の１つであるTX DIS信号を用いて認証を行うことができるので、認定されていない光トランシーバの不正使用を確実に防ぐことができる。また、既存のTX DIS信号を使用するので、回路追加が不要であるため、効率よく認証制御を行うことが可能になる。
【００４７】
次にPdown Rest信号、TX DIS信号およびMod ABS信号の３つの制御信号を用いて、光トランシーバ２０ａのモニタ制御を行うときの動作について説明する。図６は光トランシーバ２０ａのモニタ制御を行うときのモニタ用パターンを示す図である。信号処理部１１ｂは、通信装置１０に挿入された光トランシーバ２０ａの機能をモニタする場合、Pdown Rest信号とTX DIS信号を組み合わせて、光トランシーバ２０ａに対してモニタを行う機能を指定する。
【００４８】
Pdown Rest信号については、１０μｓ以上のＨレベルで出力して、光トランシーバ２０ａをスタンバイ状態に設定する。そして、TX DIS信号については、Pdown Rest信号がＨレベルの時間帯のときに、モニタ用パターン（認証用パターンとは異なるパターンである）のレベルを持たせて送信する。
【００４９】
ここで、モニタ用パターンを持つTX DIS信号のみを送信すると、光トランシーバ２０ａからTX DIS信号のレベル変化に応じて信号光が出力したり、停止したりしてしまう（本来の光通信動作が起動する）。
【００５０】
これに対し、Pdown Rest信号によって光トランシーバ２０ａをスタンバイ状態にさせてから、モニタ用パターンを持つTX DIS信号を送信することにより、光トランシーバ２０ａの信号光を停止させた状態で、光トランシーバ２０ａ内のモニタしたい機能を、モニタ用パターンに応じて指定することが可能になる。
【００５１】
一方、光トランシーバ２０ａでは、Pdown Rest信号によりスタンバイ状態となって、スタンバイ状態のときにモニタ用パターンを持つTX DIS信号を受信すると、モニタ用パターンで指定される機能をモニタする。そして、モニタ結果を例えば、Mod ABS信号を使用して、スタンバイ状態の時間帯で通信装置１０へ通知する。
【００５２】
ここで光トランシーバ２０ａの機能のモニタの内容としては、例えば、ＴＸバイアス情報、レーザ波長情報、ＬＤ（Laser Diode）ドライババイアス情報、ＬＤドライバ振幅情報などがある。
【００５３】
ＴＸバイアス情報は、Ｅ／Ｏ部２３ａに印加する制御バイアスの情報である。レーザ波長情報は、ＬＤの出力波長の情報である。ＬＤドライババイアス情報は、ＬＤドライバの駆動信号のバイアス情報である。ＬＤドライバ振幅情報は、Ｅ／Ｏ部２３ａにおける、ＬＤドライバの駆動信号の振幅情報である。
【００５４】
なお、ＴＸバイアス情報のモニタについては、ＭＳＡに規定されており、モニタ結果を通知する際のビット数（読み出し電流量のビット数）には制約があるが、上記のようなMod ABS信号を使用することにより、ビット数の制約をなくすことができ、より詳細な情報を通知することができる（ＭＳＡでは、２バイトで通知する制約があるが、Mod ABS信号を使用することで、２バイト以上で通知することが可能になる）。
【００５５】
また、レーザ波長情報のモニタについても、ＭＳＡに規定されており、モニタ結果を通知する際の精度が１０ｐｍ単位という制約があるが、上記のようなMod ABS信号を使用することにより、より詳細な情報（例えば、１ｐｍ単位）を通知することができる。
【００５６】
なお、ＬＤドライババイアス情報やＬＤドライバ振幅情報のモニタに関しては、ＭＳＡには規定はなく、伝送特性を知る上でこれらのモニタ情報を知ることは有効である。このように、ＭＳＡの規格にない機能モニタについてもモニタすることが可能になる。
【００５７】
図７はモニタ用パターンの一例を示す図である。パターンＰ１は、ＴＸバイアス情報をモニタする際のモニタ用パターン例である。パターンＰ２は、レーザ波長情報をモニタする際のモニタ用パターン例である。
【００５８】
パターンＰ３は、ＬＤドライババイアス情報をモニタする際のモニタ用パターン例である。パターンＰ４は、ＬＤドライバ振幅情報をモニタする際のモニタ用パターン例である。このように、モニタしたい機能と、モニタ用パターンとを自由に対応付けることができるので、モニタ機能を柔軟に拡張することができる。
【００５９】
以上説明したように、通信システム１によれば、通信装置１０では、通信モジュール２０に所定動作を実行させる場合には、制御信号のレベルを所定レベルにして送信し、通信モジュール２０の認証を行う場合には、制御信号のレベルを認証用パターンとして送信し、通信モジュール２０のモニタを行う場合には、制御信号のレベルをモニタ用パターンとして送信する。
【００６０】
そして、通信モジュール２０では、受信した制御信号のレベルが、所定レベルである場合には、所定動作を実行し、認証用パターンである場合には、あらかじめ認識しているパターンとの一致比較による認証制御を行い、モニタ用パターンである場合には、モニタ用パターンのパターン毎に対応する機能モニタを行って、モニタ結果を通信装置１０へ通知するモニタ制御を行う構成とした。
【００６１】
これにより、既存の制御信号を利用して、汎用通信プロトコルとは異なる通信形式で、通信装置１０と通信モジュール２０間で汎用通信プロトコルの規定に制限されない双方向通信が可能となるので、通信モジュール２０の認証精度を向上することが可能になる。さらに通信モジュール２０のモニタを精度よく行うことができ、通信モジュール２０のモニタ精度を向上させることが可能になる。
【００６２】
（付記１）  情報通信を行う通信システムにおいて、
汎用通信プロトコルを持たない制御信号にもとづき、自モジュールの動作を制御する動作制御部を含む通信モジュールと、
自装置に挿入された前記通信モジュールに対し、前記制御信号を生成して前記通信モジュールに送信する信号処理部を含む通信装置と、
を備え、
前記信号処理部は、
前記通信モジュールに所定動作を実行させる場合には、前記制御信号を所定レベルで送信し、
前記通信モジュールの認証を行う場合には、前記制御信号のレベルを認証用パターンとなるように変化させて送信し、
前記動作制御部は、受信した前記制御信号のレベルが、
前記所定レベルである場合には、前記所定動作を実行し、
前記認証用パターンである場合には、あらかじめ認識しているパターンとの一致比較による認証制御を行う、
ことを特徴とする通信システム。
【００６３】
（付記２）  前記信号処理部は、
前記制御信号を前記所定レベルで送信して、前記通信モジュールの前記所定動作として、スタンバイ状態の設定・解除を実行させ、
同じ前記制御信号を前記認証用パターンのレベルで送信して、前記通信モジュールの認証を行って、
１つの前記制御信号を、前記通信モジュールの前記スタンバイ状態の設定・解除と、前記通信モジュールの認証とに使用する、
ことを特徴とする付記１記載の通信システム。
【００６４】
（付記３）  情報通信を行う通信システムにおいて、
汎用通信プロトコルを持たない制御信号にもとづき、自モジュールの動作を制御する動作制御部を含む通信モジュールと、
自装置に挿入された前記通信モジュールに対し、前記制御信号を生成して前記通信モジュールに送信する信号処理部を含む通信装置と、
を備え、
前記信号処理部は、
前記通信モジュールに所定動作を実行させる場合には、前記制御信号を所定レベルで送信し、
前記通信モジュールの認証を行う場合には、前記制御信号のレベルを認証用パターンとなるように変化させて送信し、
前記通信モジュールのモニタを行う場合には、前記制御信号のレベルをモニタ用パターンとなるように変化させて送信し、
前記動作制御部は、受信した前記制御信号のレベルが、
前記所定レベルである場合には、前記所定動作を実行し、
前記認証用パターンである場合には、あらかじめ認識しているパターンとの一致比較による認証制御を行い、
前記モニタ用パターンである場合には、前記モニタ用パターンのパターン毎に対応する機能モニタを行って、モニタ結果を前記通信装置へ通知するモニタ制御を行う、
ことを特徴とする通信システム。
【００６５】
（付記４）  前記信号処理部は、
前記制御信号を前記所定レベルで送信して、前記通信モジュールの前記所定動作として、スタンバイ状態の設定・解除を実行させ、
同じ前記制御信号を前記認証用パターンのレベルで送信して、前記通信モジュールの認証を行って、
１つの前記制御信号を、前記通信モジュールの前記スタンバイ状態の設定・解除と、前記通信モジュールの認証とに使用する、
ことを特徴とする付記３記載の通信システム。
【００６６】
（付記５）  前記信号処理部は、
前記通信モジュールの前記所定動作としてスタンバイ状態の設定・解除を実行させる、第１の制御信号を生成し、
前記通信モジュールの前記所定動作として通信データの出力・停止を実行させる、第２の制御信号を生成し、
前記通信モジュールの認証を行う場合には、
前記第１の制御信号を前記所定レベルで送信して、前記通信モジュールを前記スタンバイ状態に設定し、前記スタンバイ状態となった前記通信モジュールに対して、前記第２の制御信号を前記認証用パターンのレベルで送信して、前記通信モジュールの認証を行い、
前記通信モジュールのモニタを行う場合には、
前記第１の制御信号を前記所定レベルで送信して、前記通信モジュールを前記スタンバイ状態に設定し、前記スタンバイ状態となった前記通信モジュールに対して、前記第２の制御信号を前記モニタ用パターンのレベルで送信して、前記通信モジュールのモニタを行う、
ことを特徴とする付記３記載の通信システム。
【００６７】
（付記６）  通信モジュールが自装置に挿入されて、前記通信モジュールと通信を行う通信装置において、
前記通信モジュールと汎用通信プロトコルによる通信を行う通信部と、
前記汎用通信プロトコルを持たない制御信号を生成して、前記通信モジュールに送信する信号処理部と、
を備え、
前記信号処理部は、
前記通信モジュールに所定動作を実行させる場合には、前記制御信号を所定レベルで送信し、
前記通信モジュールの認証を行う場合には、前記制御信号のレベルを認証用パターンとなるように変化させて送信し、
前記通信モジュールのモニタを行う場合には、前記制御信号のレベルをモニタ用パターンとなるように変化させて送信する、
ことを特徴とする通信装置。
【００６８】
（付記７）  前記信号処理部は、
前記制御信号を前記所定レベルで送信して、前記通信モジュールの前記所定動作として、スタンバイ状態の設定・解除を実行させ、
同じ前記制御信号を前記認証用パターンのレベルで送信して、前記通信モジュールの認証を行い、
１つの前記制御信号を、前記通信モジュールの前記スタンバイ状態の設定・解除と、前記通信モジュールの認証とに使用する、
ことを特徴とする付記６記載の通信装置。
【００６９】
（付記８）  前記信号処理部は、
前記通信モジュールの前記所定動作としてスタンバイ状態の設定・解除を実行させる、第１の制御信号を生成し、
前記通信モジュールの前記所定動作として通信データの出力・停止を実行させる、第２の制御信号を生成し、
前記通信モジュールの認証を行う場合には、
前記第１の制御信号を前記所定レベルで送信して、前記通信モジュールを前記スタンバイ状態に設定し、前記スタンバイ状態となった前記通信モジュールに対して、前記第２の制御信号を前記認証用パターンのレベルで送信して、前記通信モジュールの認証を行い、
前記通信モジュールのモニタを行う場合には、
前記第１の制御信号を前記所定レベルで送信して、前記通信モジュールを前記スタンバイ状態に設定し、前記スタンバイ状態となった前記通信モジュールに対して、前記第２の制御信号を前記モニタ用パターンのレベルで送信して、前記通信モジュールのモニタを行う、
ことを特徴とする付記６記載の通信装置。
【００７０】
（付記９）  通信装置に挿入して、前記通信装置と通信を行う通信モジュールにおいて、
前記通信装置と汎用通信プロトコルによる通信を行う通信部と、
前記通信装置から送信された、前記汎用通信プロトコルを持たない制御信号にもとづき、自モジュールの動作を制御する動作制御部と、
を備え、
前記動作制御部は、受信した前記制御信号のレベルが、
所定レベルである場合には、所定動作を実行し、
認証用パターンである場合には、あらかじめ認識しているパターンとの一致比較による認証制御を行い、
モニタ用パターンである場合には、前記モニタ用パターンのパターン毎に対応する機能モニタを行って、モニタ結果を前記通信装置へ通知するモニタ制御を行う、
ことを特徴とする通信モジュール。
【００７１】
（付記１０）  前記動作制御部は、
前記所定レベルの前記制御信号を受信して、前記所定動作として、スタンバイ状態の設定・解除を実行し、
前記認証用パターンのレベルを持つ、同じ前記制御信号を受信して、前記認証制御を行うことで、
１つの前記制御信号で、前記スタンバイ状態の設定・解除と、前記認証制御とを行う、
ことを特徴とする付記９記載の通信モジュール。
【００７２】
（付記１１）  前記動作制御部は、
前記所定動作としてスタンバイ状態の設定・解除を実行させる、第１の制御信号を受信し、
前記所定動作として前記通信装置に対する通信データの出力・停止を実行させる、第２の制御信号を受信し、
前記認証制御を行う場合には、
前記所定レベルで送信された前記第１の制御信号によって、前記スタンバイ状態となり、前記スタンバイ状態で、前記認証用パターンのレベルを持つ前記第２の制御信号を受信したときに、前記認証制御を行い、
前記モニタ制御を行う場合には、
前記所定レベルで送信された前記第１の制御信号によって、前記スタンバイ状態となり、前記スタンバイ状態で、前記モニタ用パターンのレベルを持つ前記第２の制御信号を受信したときに、前記モニタ制御を行う、
ことを特徴とする付記９記載の通信モジュール。
【符号の説明】
【００７３】
１  通信システム
１０  通信装置
１１ａ  通信部
１１ｂ  信号処理部
２０  通信モジュール
２１ａ  通信部
２１ｂ  動作制御部
【図１】
0005387254.tif 000002
【図２】
0005387254.tif 000003
【図３】
0005387254.tif 000004
【図４】
0005387254.tif 000005
【図５】
0005387254.tif 000006
【図６】
0005387254.tif 000007
【図７】
0005387254.tif 000008